(57)【要約】【課題】従来のハンディクリーナは、清掃する場所によってはハンドル部を把持した手首を大きく曲げて窮屈な姿勢を強いられる場合があり、この点で従来のハンディクリーナは改善の余地があった。本発明では、ハンドル部を把持した手の負担を軽減して様々な場所を楽な姿勢で清掃できるようにすることを目的とする。【解決手段】ハンドル部Ｈに、縦向きの第１グリップ部Ｈ１と横向きの第２グリップ部Ｈ２を設けて、清掃場所等に合わせてグリップ部を持ち替えることにより手首に負担を掛けることなく楽な姿勢で当該ハンディクリーナ１００を使用できるようにする。【選択図】図１
2014083241.tif 000002
【特許請求の範囲】
【請求項１】
手に持って用いるハンディクリーナであって、バッテリを電源とする電動モータを本体ハウジング内に内装したクリーナ本体を備え、該クリーナ本体に、使用者が把持するためのハンドル部を備えており、該ハンドル部に相互に持ち替えて把持可能な第１グリップ部と第２グリップ部が設けられたハンディクリーナ。
【請求項２】
請求項１記載のハンディクリーナであって、前記クリーナ本体が備える吸引ノズルの軸線方向に交差する縦向きの第１グリップ部と、前記軸線方向に沿った横向きの第２グリップ部を備えたハンディクリーナ。
【請求項３】
請求項１又は２記載のハンディクリーナであって、前記ハンドル部に、前記バッテリから前記電動モータへ通電するためのスイッチ本体が内蔵されたハンディクリーナ。
【請求項４】
請求項１〜３の何れか１項に記載したハンディクリーナであって、前記第１グリップ部と前記第２グリップ部との間に、前記スイッチ本体をオンオフ操作するためのスイッチレバーを備えたハンディクリーナ。
【請求項５】
請求項１〜４の何れか１項に記載したハンディクリーナであって、前記スイッチレバーは、前記第１グリップ部を把持した手でオンオフ操作可能であり、かつ前記第２グリップ部を把持した手でもオンオフ操作可能なハンディクリーナ。
【請求項６】
手に持って用いるハンディクリーナであって、バッテリを電源とする電動モータを本体ハウジング内に内装したクリーナ本体を備え、該クリーナ本体に、使用者が把持するためのハンドル部を備えており、該ハンドル部に、前記バッテリから前記電動モータへ通電するための１つのスイッチ本体と、該スイッチ本体をオンオフ操作するためのスイッチレバーを備えており、該スイッチレバーは、相互に異なる２つの操作方向に操作可能で、何れの方向への操作によっても前記スイッチ本体をオン操作可能な構成としたハンディクリーナ。
【請求項７】
手に持って用いるハンディクリーナであって、バッテリを電源とする電動モータを本体ハウジングに内装したクリーナ本体を備え、該クリーナ本体の後部に使用者が把持するためのハンドル部を設けるとともに、該クリーナ本体の下部に使用者が指をあてがうための凹み部を設けたハンディクリーナ。
【発明の詳細な説明】
【技術分野】
【０００１】
この発明は、車室内や居室などの清掃に使用される掃除機であって、比較的小型で手に持って使用するハンディクリーナに関する。
【背景技術】
【０００２】
従来から、居室などの清掃に使用されるハンディクリーナは広く知られている。ハンディクリーナはゴミ（塵埃）を収納するクリーナ本体を使用者が把持して使用するものである。そして、クリーナ本体はハウジングで形成されており、このハウジングには、ファンを回転させて吸引作用を生じさせ、筒体形状の吸引ノズルからゴミをハウジングのゴミ収納部に取り入れるための電動モータや、この電動モータに電力を供給するためのバッテリを備えて構成されている。バッテリは、別途用意した充電器で充電することにより繰り返し使用することができる。
【先行技術文献】
【特許文献】
【０００３】
【特許文献１】特開２００３−２２３９９８号公報
【特許文献２】特開平８−３３６４８６号公報
【発明の概要】
【発明が解決しようとする課題】
【０００４】
ところで、ハンディクリーナに備えられるバッテリは比較的重量物である。また、バッテリにより駆動される電動モータも比較的重量物である。そしてハンディクリーナは小型であることから様々な場所を清掃するのに用いられる。ところが、ハンディクリーナに設けられたハンドル部は１箇所であることから、清掃場所によっては把持した手の手首を折り曲げて窮屈な姿勢をとらざるを得ず、この点で従来のハンディクリーナには改善すべき点があった。
本発明は、様々な清掃場所について主として手首に大きな負担を掛けることなく当該ハンディクリーナを楽な姿勢で用いることができるようにすることを目的とする。
【課題を解決するための手段】
【０００５】
上記の課題は、以下の各発明により解決される。
第１の発明は、手に持って用いるハンディクリーナであって、バッテリを電源とする電動モータを本体ハウジング内に内装したクリーナ本体を備え、クリーナ本体に、使用者が把持するためのハンドル部を備えており、このハンドル部に相互に持ち替えて把持可能な第１グリップ部と第２グリップ部が設けられたハンディクリーナである。
第１の発明によれば、例えば清掃場所に合わせて第１グリップ部と第２グリップ部を持ち替えることにより、手首に大きな負担を掛けることなく楽な姿勢で清掃を行うことができ、この点で当該ハンディクリーナの操作性若しくは使い勝手を良くすることができる。
第２の発明は、第１の発明において、クリーナ本体が備える吸引ノズルの軸線方向に交差する縦向きの第１グリップ部と、軸線方向に沿った横向きの第２グリップ部を備えたハンディクリーナである。
第２の発明によれば、使用者はハンドル部を縦向きと横向きに持ち替えて把持することができ、これにより把持した手の主として手首の負担を少なくして清掃作業をより楽な姿勢で迅速に行うことができる。
第３の発明は、第１又は第２の発明において、ハンドル部に、バッテリから電動モータへ通電するためのスイッチ本体が内蔵されたハンディクリーナである。
第３の発明によれば、ハンドル部内の空きスペースを有効に活用してスイッチ本体を配置することができる。
第４の発明は、第１〜第３の何れか一つの発明において、第１グリップ部と第２グリップ部との間に、スイッチ本体をオンオフ操作するためのスイッチレバーを備えたハンディクリーナである。
第４の発明によれば、第１グリップ部を把持した状態、又は第２グリップ部を把持した状態の何れであってもスイッチレバーのオンオフ操作を迅速に行うことができる。
第５の発明は、第１〜第４のいずれか１つの発明において、スイッチレバーは、第１グリップ部を把持した手でオンオフ操作可能であり、かつ第２グリップ部を把持した手でもオンオフ操作可能なハンディクリーナである。
第５の発明によれば、第１グリップ部又は第２グリップ部の何れを把持した状態であっても把持した手でスイッチレバーをオンオフ操作することができることから、当該スイッチレバーのオンオフ操作を迅速に行うことができ、これにより当該ハンディクリーナの使い勝手を高めることができる。
第６の発明は、手に持って用いるハンディクリーナであって、バッテリを電源とする電動モータを本体ハウジング内に内装したクリーナ本体を備え、クリーナ本体に、使用者が把持するためのハンドル部を備えており、このハンドル部に、バッテリから電動モータへ通電するための１つのスイッチ本体と、このスイッチ本体をオンオフ操作するためのスイッチレバーを備えており、スイッチレバーは、相互に異なる２つの操作方向に操作可能で、何れの方向への操作によってもこのスイッチ本体をオン操作可能な構成としたハンディクリーナである。
第６の発明によれば、ハンドル部を持ち替えた場合にそれぞれの把持位置についてスイッチレバーの楽な操作方向を設定することができ、この点で当該スイッチレバーの操作性を高め、ひいては当該ハンディクリーナの操作性を高めることができる。
第７の発明は、手に持って用いるハンディクリーナであって、バッテリを電源とする電動モータを本体ハウジングに内装したクリーナ本体を備え、クリーナ本体の後部に使用者が把持するためのハンドル部を設けるとともに、クリーナ本体の下部に使用者が指をあてがうための凹み部を設けたハンディクリーナである。
第７の発明によれば、使用者は一方の手でハンドル部を把持し、他方の手でクリーナ本体を下面側から支えて保持することができ、これにより一方の手の負担を小さくしつつ当該ハンディクリーナをしっかりと保持して清掃作業等を楽に行うことができる。
【図面の簡単な説明】
【０００６】
【図１】第１実施形態に係るハンディクリーナの全体を示す斜視図である。
【図２】第１実施形態に係るクリーナ本体の内部構造を示す断面図である。
【図３】第２実施形態に係るクリーナ本体の内部構造を示す断面図である。
【図４】図２のＡ−Ａ線断面図であって、クリーナ本体の断面図である。
【図５】図２のＡ−Ａ線断面図であって、第１実施形態の第１変形例である。
【図６】図２のＡ−Ａ線断面図であって、第１実施形態の第２変形例である。
【発明を実施するための形態】
【０００７】
次に、本発明の実施形態を図面に基づいて説明する。図１には、第１実施形態に係るハンディクリーナ１００の全体が示されている。このハンディクリーナ１００は、例えば部屋の清掃等をする場合に、使用者が片手で持って使用することができる小形且つ軽量の充電式掃除機である。
このハンディクリーナ１００は、使用者が掃除するときに片手で持つクリーナ本体１と、ゴミを吸い取るための口となる広域平面用ノズル２２と、クリーナ本体１と広域平面用ノズル２２とを接続する延長ノズル２１に大別される。このハンディクリーナ１００を使用する際は、クリーナ本体１に設けたハンドル部Ｈを片手で持って操作して、広域平面用ノズル２２をゴミのある位置にもって行き、ゴミを吸い取るものである。
電源としてのバッテリパック２０はクリーナー本体１の本体ハウジング１１の外部に着脱可能に取り付けられている。クリーナ本体１と延長ノズル２１と広域平面用ノズル２２は一直線状に配置された構造体として構成されている。
広域平面用ノズル２２は曲がり管２２１と略直方体の吸込み部２２２を回動自在に接続した構造となっている。曲がり管２２１先端には、当該曲がり管２２１の管径より大きな径を有する球状体が一体に設けられている。吸込み部２２２には、半割にした吸い込み部２２２の各々に凹部が設けられている。曲がり管２２１に備えられた球状体を吸い込み部２２２に設けられた凹部内に収まるように挟み込むことで、曲がり管２２１と略直方体の吸込み部２２２が回動自在に接続されている。クリーナ本体１と延長ノズル２１とを使用に際して揺動回転させると、曲がり管２２１の曲がり部を支点として球状体が変位し、広域平面用ノズル２２の吸込み部２２２の向きを変えること（首振り）が可能となっている。
【０００８】
図２には、クリーナ本体１の内部構造が示されている。クリーナ本体１は、後部ハウジング１１２とダストカップ１１１とで構成される本体ハウジング１１によって外枠が形成されている。
図４に示すように後部ハウジング１１２は左右半割り構造のハウジングで、樹脂で構成された右側ハウジング１１２Ｒと左側ハウジング１１２Ｌを締結部材１１３により締結することで一体的に構成されている。締結部材１１３にはねじが用いられている。複数の締結部材１１３〜１１３により右側ハウジング１１２Ｒと左側ハウジング１１２Ｌが相互に突き合わせ状態で分離不能に結合されている。
後部ハウジング１１２の前部に、駆動源としての電動モータ１２と、この電動モータ１２により回転するファン１３が内装されている。
ダストカップ１１１は、樹脂成形により釣鐘形状を有している。このダストカップ１１１の先端には、筒体形状の吸引ノズル５が前方へ突き出す状態で一体に設けられている。ダストカップ１１１は後部ハウジング１１２の前端部に脱着自在に装着されている。
電源となるバッテリパック２０は本体ハウジング１１の外部に着脱可能に取付けられるようになっており、クリーナ本体１から取り外して充電することにより再使用可能となっている。クリーナ本体１は、バッテリパック２０を電源として駆動する電動モータ１２と、この電動モータ１２により回転するファン１３を主体とする吸引機構とを本体ハウジング１１に内蔵した構成を備えている。
クリーナ本体１内の吸引機構により吸引されたゴミ等は、集塵機構であるろ過フィルタ１４により捕獲される。ろ過フィルタ１４は後部ハウジング１１２の外部に接続されているため、後部ハウジング１１２内にはゴミ等が侵入しにくい構造となっている。ろ過フィルタ１４の周囲はダストカップ１１１で囲まれているため、捕獲されたゴミ等はダストカップ１１１とろ過フィルタ１４の間に留められる。クリーナ本体１は、ダストカップ１１１を取り外すことで２つに分離可能とされており、捕獲されたゴミ等をクリーナ本体１の外部に排出することができるようになっている。
【０００９】
後部ハウジング１１２の後部にバッテリ取り付け部１８が設けられている。このバッテリ取り付け部１８にバッテリパック２０が取り外し可能に装着されている。図示するようにバッテリ取り付け部１８の上方において、後部ハウジング１１２の後部から第２グリップ部Ｈ２が後方（横方向）へ延びている。バッテリ取り付け部１８の下方において、後部ハウジング１１２の後部から断面矩形の排気管部１１４が同じく後方（横方向）へ延びている。第２グリップ部Ｈ２と排気管部１１４は相互にほぼ平行状態で後方へ延びている。第２グリップ部Ｈ２と排気管部１１４が延びる方向（横方向）は、ダストカップ１１１の先端に設けた吸引ノズル５の軸線Ｊ５方向に一致している。
それぞれ後方に延びる第２グリップ部Ｈ２の後部と排気管部１１４の後部は、上下方向（縦方向）に延びる第１グリップ部Ｈ１を介して相互に連結されている。第２グリップ部Ｈ２と排気管部１１４と第１グリップ部Ｈ１によりループ形の円環形状部１５が構成されている。この円環形状部１５の内周側に空間部Ｓ１が形成されている。円環形状部１５により形成される空間部Ｓ１、第１及び第２グリップ部Ｈ１，Ｈ２及び排気管部１１４の構成位置は、吸引ノズル５とは反対側であって本体ハウジング１１の後部側に配置されている。
第１グリップ部Ｈ１と第２グリップ部Ｈ２とにより、当該ハンディクリーナ１００のハンドル部Ｈが構成されている。使用者は、横方向に延びる第２グリップ部Ｈ２を片手で把持することができ、また縦方向に延びる第１グリップ部Ｈ１を片手で把持することができる。
後部ハウジング１１２の下面には、側方から見て山形に凹んだ下凹み部１１２ａが設けられている。この下凹み部１１２ａは、ねじボス部（締結部材１１３）に対して前側の前指当て部１１２ａ１と後側の後指当て部１１２ａ２とにより構成されている。使用者は、例えば一方の手で第１グリップ部Ｈ１を把持する場合には、他方の手をこの下凹み部１１２ａにあてがって当該クリーナ本体１を下方から受けて保持することができ、これにより第１グリップ部Ｈ１を把持した一方の手の負担を小さくすることができる。
後部ハウジング１１２の上面であって上記の下凹み部１１２ａよりも前側にも、同じく側方から見て山形に凹んだ上凹み部１１２ｂが設けられている。例えば、下凹み部１１２ａの前指当て部１１２ａ１に小指（第５指）を、上凹み部１１２ｂに親指（第１指）をあてがって後部ハウジング１１２の前部をしっかりと把持することができる。また、使用状態によっては、下凹み部１１２ａの前指当て部１１２ａ１に薬指（第４指）を、後指当て部１１２ａ２に小指（第５指）をあてがって後部ハウジング１１２を把持することもできる。
下凹み部１１２ａを設け、上凹み部１１２ｂを設けない場合であっても、小指を下凹み部１１２ａにあてがって後部ハウジング１１２をしっかりと保持することができる。逆に、上凹み部１１２ｂを設けて下凹み部１１２ａを設けない場合であっても、親指を上凹み部１１２ｂにあてがって後部ハウジング１１２をしっかりと保持することができる。
横方向に延びる第２グリップ部Ｈ２は、後部側に至るほどその幅寸法が徐々に細くなっており、これにより把持した手の主として薬指や小指によるホールド性が高められている。
第１グリップ部Ｈ１と第２グリップ部Ｈ２との連結構成はＴ字形結合とされている。つまり、第２グリップ部Ｈ２の後端部が第１グリップ部Ｈ１との結合部位からさらに後方に僅かに突出した構成（後部突出部１１５）となっている。第１グリップ部Ｈ１を把持した際に、この後部突出部１１５により把持した手が常に位置決めされるので、使用者が把持しやすく、また当該ハンディクリーナ１００を前方へ押す際に当該ハンドル部Ｈに対して押し力を加えやすくなる。この第２グリップ部Ｈ２の後部突出部１１５は省略してもよい。
第１グリップ部Ｈ１は、第２グリップ部Ｈ２との結合端部側が排気管部１１４との結合端部側と比較して相対的に吸引ノズル５側となるように僅かに傾いて形成（前傾姿勢）されている。すなわち、第１グリップ部Ｈ１は上方が前方向に傾いて形成されている。これにより、把持する前腕の長手方向を吸引ノズル５の軸方向と同方向となるように把持することがし易くなる。
【００１０】
第１グリップ部Ｈ１の形状は、第１グリップ部Ｈ１を把持した際における手の平の中心が、吸引ノズル５の軸線Ｊ５上となるように構成されている。このため、吸引ノズル５の軸線Ｊ５を中心軸とした揺動回転は行ない易くなっている。
第１グリップ部Ｈ１は、その長手方向上下両端部であって、排気管部１１４との結合端部側の握り部の太さ、及び第２グリップ部Ｈ２との結合端部側の握り部の太さが、それぞれ当該第１グリップ部Ｈ１の中央部位置の握り部の太さに比べてやや小さく（細く）なるよう樽形に形成されている。これにより第１グリップ部Ｈ１を把持した手の人差し指及び小指の握りが確実になされて、当該第１グリップ部Ｈ１をより安定かつ確実に把持することができるようになっている。
このように、ハンドル部Ｈには、縦方向に延びる第１グリップ部Ｈ１と、横方向に延びる第２グリップ部Ｈ２が設けられている。このため、使用者は、手首を屈曲させることなく第１グリップ部Ｈ１を片手で把持して当該ハンディクリーナ１００を腕に対して真っ直ぐに保持しつつ、より楽な姿勢で例えば腰高さの作業台上に沿って吸込み部２２２を往復動させて清掃作業を行うことができる。これに対して、使用者は第２グリップ部Ｈ２を把持して当該ハンディクリーナ１００を片手でぶら下げた状態に保持することにより、例えば床面等の腰より低い部位の清掃を行う場合に大きく屈む等の窮屈な姿勢をとることなく清掃作業を行うことができる。
あるいは、周囲に障害物のない場所の清掃をする時には第１グリップ部Ｈ１を持ち、机の下など、周囲に障害物のある場所の清掃を行う時には第２グリップ部Ｈ２を持つなど、使用環境に応じて持ち方を変更して使用することが可能となっている。
【００１１】
第１グリップ部Ｈ１と第２グリップ部Ｈ２との内側に跨って、使用者が指先で引き操作する一つのスイッチレバー４０が設けられている。このスイッチレバー４０は、第１グリップ部Ｈ１と第２グリップ部Ｈ２の何れを把持した状態であっても、把持した手の指先で引き操作できるようになっている。
このスイッチレバー４０は、第１グリップ部Ｈ１に沿った縦部４０ａと、第２グリップ部Ｈ２に沿った横部４０ｂを有する概ねＬ字形を有している。このスイッチレバー４０は、縦部４０ａの下端部が支軸４１を介して全体として前後方向に傾動に支持されている。
このスイッチレバー４０の縦部４０ａの後方において第１グリップ部Ｈ１にスイッチ本体４２が内装されている。縦部４０ａが支軸４１を中心にして後側へ傾動すると、スイッチ本体４２の作動ボタンが作動突起部４０ｃで押されて当該スイッチ本体４２がオンする。このスイッチ本体４２がオンすると、バッテリパック２０から供給される電力によって電動モータ１２が起動する。
作動突起部４０ｃのさらに上方であって、縦部４０ａの上部と、第２グリップ部Ｈ２の後部に設けた係合壁部４４との間には圧縮ばね４３が介装されている。この圧縮ばね４３によって当該スイッチレバー４０は横部４０ｂ側を前方へ変位させるオフ方向に付勢されている。この圧縮ばね４３の付勢力に抗して当該スイッチレバー４０を、支軸４１を中心にして全体として後方へ傾動させる（オン方向に引き操作する）ことによりスイッチ本体４２をオン操作することができる。
このように、第１グリップ部Ｈ１を把持する場合、及び第２グリップ部Ｈ２を把持する場合の何れであっても、共通のスイッチレバー４０を指先で引き操作することによりスイッチ本体４２をオン操作して当該ハンディクリーナ１００を起動させることができる。例えば、第１グリップ部Ｈ１を把持した場合には、人差し指を縦部４０ａに押し当てて後方（第１の操作方向）へ引き操作することによりスイッチレバー４０を支軸４１を中心にして全体として後方へ傾動させることができ、これによりスイッチ本体４２をオン操作することができる。
また、第２グリップ部Ｈ２を把持した場合には、小指若しくは薬指を横部４０ｂに押し当てて上方（第２の操作方向）へ引き操作することにより当該スイッチレバー４０を支軸４１を中心にして全体として後方へ傾動させることができ、これによりスイッチ本体４２をオン操作することができる。
【００１２】
第１グリップ部Ｈ１及び第２グリップ部Ｈ２の一部はエラストマ樹脂で覆われているため、握り心地も良好なものとなっている。
また、円環形状部１５の適宜位置には図示しない吊り下げ用のストラップが取り付けられており、ハンディクリーナを吊り下げて保管する場合等における便宜が図られるようになっている。また、第２グリップ部Ｈ２の前部には暗所での清掃時に便利な照明具１９が備え付けられている。この照明具１９は、第２グリップ部Ｈ２の吸引ノズル５側であって前方に障害物がない部位に出っ張らない状態に組み込まれている。この照明具１９によって主として吸引ノズル５の周辺が明るく照らされる。この照明具１９の光源にはＬＥＤ（発光ダイオード）が用いられているが、ＬＥＤに代えて白熱電球や蛍光灯を用いてもよい。この照明具１９の電源としてもバッテリパック２０の電力が利用される。
排気管部１１４の端部にはルーバー１１４ａが設けられている。ルーバー１１４ａはクリーナ本体１から排出される排気の進行方向を変えることができる。したがって、使用者の体がクリーナ本体１の長手方向の延長上に位置していても、ルーバー１１４ａで排気の進行方向を変えれば、排気が使用者にあたらないようにすることが可能とされている。
ルーバー１１４ａが設けられている排気管部１１４の端部は図２で見て左側位置にあり、本体ハウジング１１の先端に取り付けた吸引ノズル５とは、その軸線Ｊ５方向で見てハウジング１１を挟んだ対称位置にある。そして、吸引ノズル５における吸入流と排気管部１１４の端部における排気流の進行方向が同一方向であるので、クリーナ本体１内を通過する気体の圧力損失が軽減される。
【００１３】
バッテリパック２０は本体ハウジング１１に形成される環状の空間部Ｓ１に配設されて、本体ハウジング１１の外部に着脱可能に取付けられる。詳細には、環状の空間部Ｓ１を形成する本体ハウジング１１の外面部位にバッテリ取り付け部１８が設けられており、このバッテリ取り付け部１８にバッテリパック２０が着脱可能に取付けられている。このバッテリパック２０のバッテリ取り付け部１８に対する着脱は、特定方向にスライドさせることにより行われる。この着脱方向は、環状の空間部Ｓ１の空間開口方向であり、かつ、吸引ノズル５の軸線Ｊ５方向とほぼ直行する方向となっている。
バッテリパック２０のバッテリ取り付け部１８への取付け方向と取り外し方向とは逆方向となっている。このためバッテリパック２０のバッテリ取り付け部１８への着脱は環状の空間部Ｓ１の一方の開口側から行うことができる。
バッテリ取り付け部１８には、プラス端子２３ａとマイナス端子２３ａが後方へと突出する状態に配置されている。このプラス端子２３ａとマイナス端子２３ａは、左右方向（図２において紙面に直行する方向）に長く形成されている。
また、バッテリ取り付け部１８のプラス端子２３ａとマイナス端子２３ａに対応する端子として、プラス端子２３ｂとマイナス端子２３ｂがバッテリパック２０に設けられている。
バッテリパック２０及びバッテリ取り付け部１８には互いに係合可能な、係合凹部若しくは係合凸部が設けられている。当該係合凹部と係合凸部は、バッテリ取り付け部１８に対してバッテリパック２０がスライド装着可能となるように構成されている。
バッテリパック２０はバッテリ取り付け部１８に対して右方向からスライドさせることによって、バッテリ取り付け部１８に対して固定される。このため、円環形状部１５を複雑な形状とする必要がない。すなわち、バッテリパック２０を上下方向若しくは前後方向からスライドさせることによってバッテリ取り付け部１８に固定する場合には、複雑な形状となってしまう。しかし、バッテリパック２０を左右方向であって円環形状部１５の開口方向（使用者から見て横方向）にスライドさせることで固定する構成を採用することによって、当該複雑な形状を採用する必要性がなくなる。
バッテリパック２０は環状の空間部Ｓ１の中で下方に配置されている。すなわち、第２グリップ部Ｈ２に対してバッテリパック２０は離間している。また、排気管部１１４に対してバッテリパック２０は近接している。これにより、第２グリップ部Ｈ２の第２グリップ部Ｈ２について把持するために必要なスペースが十分に確保されている。
【００１４】
回路基板１７はバッテリ取り付け部１８に対向するように隣接配置しており、当該回路基板１７は電動モータ１２の端子が配設されている面と対向するように前方に隣接配置されている。
そして、図２に示すように吸引ノズル５とろ過フィルタ１４とファン１３と電動モータ１２と回路基板１７とバッテリパック２０と第１グリップ部Ｈ１は略同一直線上（軸線Ｊ５上）になるように配置されている。
特に、バッテリパック２０と電動モータ１２はクリーナ本体１の構成において重量比率が高いものであるが、第１グリップ部Ｈ１とバッテリパック２０と電動モータ１２が軸線Ｊ５上にあることで、使用時に第１グリップ部Ｈ１を持ちながら当該軸線Ｊ５を軸に揺動回転操作を行う際、使用者の操作負担が軽減される。これは、揺動回転操作に必要な力は被回転物の重心位置と回転軸（軸線Ｊ５）との距離に略比例するが、回転軸上に被回転物があれば被回転物の重心位置と回転軸との距離が短くなり、回転操作に必要な力を軽減させることが可能となることによる。
特に、クリーナにおいては吸引ノズル５の軸線Ｊ５回りに揺動回転操作することが多いため、吸引ノズル５の軸線Ｊ５上の位置に第１グリップ部Ｈ１とバッテリパック２０と電動モータ１２が位置することが望ましい。
図２において、バッテリパック２０の取り付け状態における重心位置はＧ１で示され、電動モータ１２の重心位置はＧ２で示され、クリーナ本体１全体の重心位置はＧ０で示されている。そして、吸引ノズル５の軸線Ｊ５方向に延長した領域の境界の一部分が破線Ｔで示されている。この吸引ノズル５の軸線Ｊ５方向に延長した領域内に前記バッテリパック２０の重心位置Ｇ１，電動モータ１２の重心位置Ｇ２，及びクリーナ本体１全体の重心位置Ｇ０の全てが位置するように本実施形態のクリーナ本体１は構成されている。なお、上記における吸引ノズル５の軸線Ｊ５方向に延長した領域とは、吸引ノズル５のうち筒形状である部分の内周面に関し、吸引ノズル５の軸線Ｊ５方向に対する直行断面積のうち最大の面積を有する部分について吸引ノズル５の軸線Ｊ５方向に延長した場合に形成される領域を意味している。
【００１５】
上記の重心位置の構成であれば、バッテリパック２０を装着している際もバッテリパック２０を取り外している際も、重心位置が吸引ノズル５の軸線Ｊ５上にある。バッテリパック２０を取り外している際は、吸引ノズル５を下方に向けて持つことが多いが、この持ち方の場合、バッテリパック２０を装着した際と取り外した際ではその重心位置が略垂直方向に移動するのみとなりうるので、バッテリパック２０の装着の有無による重心位置の変動を使用者が気にならない範囲に留めることが可能となる。
本実施形態においては、バッテリパック２０装着時のクリーナ本体１全体の重心位置Ｇ０が電動モータ１２の軸線Ｊ５上にあり、バッテリパック２０と電動モータ１２の間に配置する回路基板１７を配設する位置と略一致する。
上記バッテリパック２０は、電圧１４．４Ｖの充電式リチウムイオンバッテリで、別途用意する充電器で充電して繰り返し使用することができる。
一般にリチウムイオンバッテリは、ニッケル水素バッテリに比して軽量である。例えば、市場で一般的に流通するニッケル水素バッテリで、電圧１４．４Ｖ、公称容量３．３Ａｈのものは重さ１０２０ｇであるのに対して、同じく電圧１４．４Ｖ、公称容量３．０Ａｈのリチウムイオンバッテリは重さ５００ｇ程度であり、約１／２に軽量化されている。従って、リチウムイオンバッテリを電源として用いることによりハンディクリーナを全体として軽量化することができる。
【００１６】
以上のように構成された第１実施形態のハンディクリーナ１００によれば、次のような作用効果が得られる。
第１実施形態のハンディクリーナ１００によれば、ハンドル部Ｈは、縦方向（上下方向）に延びる第１グリップ部Ｈ１と、横方向（前後方向）に延びる第２グリップ部Ｈ２を備え、作業内容に合わせてより楽に把持できるグリップ部を選択して把持することができ、この点で当該ハンディクリーナ１００の使い勝手をより高めることができる。
しかも、第１グリップ部Ｈ１と第２グリップ部Ｈ２の何れを把持した場合であっても、把持した手の指先で共通のスイッチレバー４０を引き操作することができ、この点でも当該ハンディクリーナ１００の高い操作性が確保されている。また、２つのグリップ部Ｈ１，Ｈ２について共通のスイッチレバー４０を用いる構成であるので、それぞれ個別にスイッチレバーを設定する構成に比してより低コストで上記の作用効果を得ることができる。
更に、第１実施形態に係るハンディクリーナ１００は、円環形状部１５の第１グリップ部Ｈ１に構成される第１グリップ部Ｈ１と、環状の空間部Ｓ１に配設されるバッテリパック２０と、本体ハウジング１１内に装備される電動モータ１２とが、一直線上に配置されて構成されている。そして、これらは本体ハウジング１１の先端部に取付けられる吸引ノズル５の軸線Ｊ５上に配置されて構成されている。このため、クリーナ使用時にクリーナ本体１を揺動回転しながら使用する際の操作負荷の軽減を図ることができる。
特に、第１実施形態においては、バッテリパック２０の重心位置Ｇ１，電動モータ１２の重心位置Ｇ２、及びクリーナ本体１全体の重心位置Ｇ０が吸引ノズル５の軸線Ｊ５上の領域内にあるように構成されているので、より操作負荷の軽減を図ることが可能となっている。更には、各重心位置Ｇ１，Ｇ２，Ｇ０は前記吸引ノズル５の軸線Ｊ５上の位置にあるように構成されれば、最も操作負荷の軽減を図ることが可能となる。
【００１７】
次に、第１実施形態においては、バッテリパック２０は円環形状部１５と本体ハウジング１１の一部の外面部位とにより形成される環状の空間部Ｓ１内に配設される構成となっている。このため、使用時に誤ってクリーナ本体１を落下させるようなことがあっても、バッテリパック２０は直接に床面に当たることが阻止され保護されうる。すなわち、バッテリパック２０は円環形状部１５に保護された状態で落下するため、バッテリパック２０が損傷する可能性が少なくなる。
更に、第１実施形態によれば、ハンドル部Ｈの近傍に設けたバッテリ取り付け部１８に対してバッテリパック２０をスライドさせて取り付け、取り外しすることができる。
更に、第１実施形態のバッテリパック２０の配設位置は、従来のバッテリをクリーナ本体内に組み込んで取付ける本体組み込み式とは異なって、当該ハンディクリーナ１００の本体ハウジング１１の外面部位の一部に装着する形態のいわゆるカートリッジ式である。このため、バッテリパック２０の取り付け、取り外しに際して蓋等を開閉する必要がなく、この点でバッテリパック２０の取り付け、取り外し操作についてハンディクリーナ１００の使い勝手（操作性）を高めることができる。
更に、第１実施形態は、バッテリパック２０を本体ハウジング１１内に収容する組み込み式ではなく、クリーナ本体１に対して露出した状態に取り付けるカートリッジ式であるので、クリーナ本体１のバッテリ取り付け部１８に対する取り付け寸法関係についてのみ一致させれば、そのサイズを問わず他形態のハンディクリーナ若しくは電動工具との間でバッテリを共用化することができる。
また、広範囲の電圧に対する電動モータ１２あるいは変換回路により、例えば１２Ｖ、１４．４Ｖあるいは１８Ｖといったように異なる電圧のバッテリパック２０を使用できるようになる。
【００１８】
次に、本発明の第２実施形態について説明する。第２実施形態のハンディクリーナのクリーナ本体３が図３に示されている。図３は上記した第１実施形態を示す図２に対比して図示されている。この第２実施形態の構成において第１実施形態と異なる構成箇所は、スイッチに関する構成箇所である。その他の構成は実質的に同じであるので、第１実施形態と同じ符号を付することにより詳細説明は省略する。
第２実施形態のスイッチは、図３に示されているように、スイッチは引き操作をすることでオンするトリガースイッチ（スイッチレバー４０）ではなくスイッチプレート３６の電子スイッチを押すことでオンさせるスイッチである。
スイッチプレート３６は本体ハウジング１１から後方へ向けて延びる第２グリップ部Ｈ２の根元（前部側）に照明具１９と隣接して配置している。
バッテリ取り付け部１８と回路基板１７を接続する配線として、Ａ配線２４ａを設けている。また、回路基板１７と電動モータ１２を接続する配線として、Ｂ配線２４ｂを設けている。また、回路基板１７とスイッチプレート３６を接続する配線として、Ｃ配線２４ｃを設けている。また、回路基板１７と照明具１９を接続する配線として、Ｄ配線２４ｄを設けている。第１実施形態において詳述はしていないが、当該構成は第１実施形態においても同様である。
第２実施形態では、図３に示されているように、電気配線を必要とする部品をクリーナ本体３の中央部に集中させている。その結果、クリーナ本体３の長手方向の長さに対して四等分した際の把持部側中央の１／４の長さ領域に電気配線が集中するので、クリーナ本体３に必要な配線の長さを短くすることが可能となっている。
この第２実施形態においても、上記した第１実施形態において記載した作用効果と実質的に同じ作用効果を得ることができるものである。
第２実施形態のハンディクリーナのクリーナ本体３によれば、上下に延びる縦方向の第１グリップ部Ｈ１と、前後に延びる横方向の第２グリップ部Ｈ２を備えることから、作業内容に合わせて持ち替えることにより、手首に負担を掛けることなくより楽に把持して清掃作業を迅速かつ楽に行うことができる。第２実施形態の場合も、第２グリップ部Ｈ２を把持した手の指先でスイッチプレート３６のオンオフ操作を行うことができる。第１グリップ部Ｈ１を一方の手で把持した場合には、他方の手でスイッチプレート３６のオンオフ操作を行うことができる。
【００１９】
次に第１実施形態の変形例について説明する。図５に示されているのは、第１実施形態のＡ−Ａ断面図を変形させた第１の変形例である。図５に示されている構成が図４に示されている構成と異なる点は、排気管部１１４の左右方向の幅の長さである。すなわち、図４に示されている構成においては、排気管部１１４の左右方向の幅はバッテリパック２０の左右方向の幅よりも若干短く構成されているが、図５に示されている構成においては、排気管部１１４の左右方向の幅はバッテリパック２０の左右方向の幅よりも長く構成されている点である。
図５に示されているように、排気管部１１４の左右方向の幅がバッテリパック２０の左右方向の幅よりも長く構成されていれば、ハンディクリーナ１００が横転した状態で床に落下した際にも、排気管部１１４が床に接触する可能性が高くなる。よって、バッテリパック２０が損傷する可能性を低減させることが可能である。
図６に示されているのは、第１実施形態のＡ−Ａ断面図を変形させた第２の変形例である。
図６に示されている構成が図４及び図５に示されている構成と異なる点は、排気管部１１４の左右方向の幅の長さである。すなわち、図４及び図５に示されている構成においては、第２グリップ部Ｈ２及び排気管部１１４と接する平面上にバッテリパック２０の一部が現れるが、図６に示されている構成においては、第２グリップ部Ｈ２及び排気管部１１４と接する平面上にバッテリパック２０の一部が現れない点である。
図６に示されているように、第２グリップ部Ｈ２及び排気管部１１４と接する平面上にバッテリパック２０の一部が現れない構成であれば、ハンディクリーナ１００が傾いた状態で床に落下した場合にも、バッテリパック２０よりも第２グリップ部Ｈ２又は排気管部１１４が床に接触する可能性が更に高くなり、バッテリパック２０の損傷の可能性を更に低減させることができる。
【００２０】
以上、本発明の２つの実施形態及び２つの変形例について説明したが、本発明は上記のほか各種の形態で実施可能なものである。例えば、スイッチ本体４２をオンオフ操作するためのスイッチレバー４０は、第１の操作方向に引き操作する第１グリップ部Ｈ１と第２の操作方向に引き操作する第２グリップ部Ｈ２とを一体に有する構成を例示したが、各々別体に有して両グリップ部Ｈ１，Ｈ２についてそれぞれ専用のスイッチレバーを配置する構成としてもよい。スイッチ本体についても例示したように両グリップ部Ｈ１，Ｈ２について共通のスイッチ本体を１つ内装する構成とする他、各グリップ部Ｈ１，Ｈ２について専用のスイッチ本体を内装する構成としてもよい。
また、スイッチ本体４２をオンオフ操作する手段としてスイッチレバーを例示したが、これに代えて押しボタンを用いてもよい。さらに、第１実施形態において例示したスイッチレバー４０に代えて、いわゆるテープスイッチと称されるシート状で可撓性を有するスイッチを第１グリップ部Ｈ１と第２グリップ部Ｈ２とに跨って貼り付けた構成としてもよい。
さらに、円環形状部１５において、排気管部１１４を省略して、縦向きの第１グリップ部Ｈ１と横向きの第２グリップ部Ｈ２を有するハンドル部Ｈのみを残した構成としてもよい。この場合、ファン１３による排気については、後部ハウジング１１２の左右側部に設けた排気口を経て排気させる構成とすることができる。
また、バッテリパック２０はループ形状部１５の開口側（横方向）から脱着する構成を例示したが、上下方向若しくは前後方向あるいは傾斜方向にスライドさせて脱着する構成としてもよい。
さらに、各実施形態においてはバッテリをハウジングの外部に設けているが、ハウジング内に設ける構造とすることも可能である。
また、各実施形態においてはろ過フィルタ１４を用いた集塵方法を採用しているが、遠心分離や電気集塵などの各種の集塵手段を採用することが可能であるし、２以上の集塵手段を併用することも可能である。
さらに、例示した排気管部１１４に沿って若しくはその内部にバッテリパックを装着する構成としてもよい。
【符号の説明】
【００２１】
１００…ハンディクリーナ
１…クリーナ本体（第１実施形態）
３…クリーナ本体（第２実施形態）
５…吸引ノズル
Ｊ５…吸引ノズル５の軸線
１１…本体ハウジング
１２…電動モータ
１３…ファン
１４…ろ過フィルタ
１５…円環形状部
１６…スイッチレバー
１７…回路基板
１８…バッテリ取り付け部
１９…照明具
１１１…ダストカップ
１１２…後部ハウジング
１１２ａ…下凹み部、１１２ａ１…前指当て部、１１２ａ２…後指当て部
１１２ｂ…上凹み部
１１２Ｒ…右側ハウジング
１１２Ｌ…左側ハウジング
１１３…締結部材
１１４…排気管部、１１４ａ…ルーバー
１１５…後部突出部
２０…バッテリパック
２１…延長ノズル
２２…広域平面用ノズル
２３ａ…端子（バッテリ取り付け部側）
２３ｂ…端子（バッテリパック側）
２４ａ…Ａ配線
２４ｂ…Ｂ配線
２４ｃ…Ｃ配線
２４ｄ…Ｄ配線
３６…スイッチプレート
Ｓ１…環状空間
Ｇ１…バッテリの重心位置
Ｇ２…電動モータの重心位置
Ｇ０…クリーナ本体全体の重心位置
Ｔ…吸引ノズル５の軸線Ｊ５方向に延長した領域の境界
Ｈ…ハンドル部
Ｈ１…第１グリップ部
Ｈ２…第２グリップ部
４０…スイッチレバー
４０ａ…縦部、４０ｂ…横部、４０ｃ…作動突起部
４１…支軸
４２…スイッチ本体
４３…圧縮ばね
４４…係合壁部
【図１】
2014083241.tif 000003
【図２】
2014083241.tif 000004
【図３】
2014083241.tif 000005
【図４】
2014083241.tif 000006
【図５】
2014083241.tif 000007
【図６】
2014083241.tif 000008